【事件の表示】
　特許第３２９８２５３号「給紙装置」の請求項１に係る特許に対する特許異議の申立てについて、次のとおり決定する。
【結　論】
　訂正を認める。
　特許第３２９８２５３号の請求項１に係る特許を維持する。
【理　由】
１．手続の経緯
　特許第３２９８２５３号の請求項１に係る発明についての出願は、平成５年９月１３日に特許出願され、平成１４年４月１９日にその発明について特許権の設定登録がなされ、その後、その特許について、異議申立人市東　勇により特許異議の申立てがなされ、取消しの理由が通知され、その指定期間である平成１５年４月２８日に訂正請求（後日取下げ）がなされた後、訂正拒絶理由が通知され、再度の取消しの理由が通知され、その指定期間である平成１６年５月１１日に訂正請求がなされたものである。
　
２．訂正の適否についての判断
２−１．訂正の内容
　特許権者が求めている訂正の内容は、以下のとおりである。
（１）訂正事項ａ
　特許請求の範囲の請求項１の記載
「【請求項１】　原稿紙の送給方向を反転させて外部に排出させる原稿搬送路を備えた給紙装置において、反転ローラと、この反転ローラに近接した給紙ローラとの間であり、原稿読取位置より前方の原稿読取部の入り口近傍で、原稿紙に接触する弾性のあるフィルム片で構成された振動抑制手段を設け、この振動抑制手段によって、送給時における原稿紙の振動の発生を抑制するようにした給紙装置。」
とあるのを、
「【請求項１】　原稿紙の送給方向を反転させて外部に排出させる原稿搬送路を備えた給紙装置において、反転ローラと、この反転ローラに近接した給紙ローラとの間であり、原稿読取位置より前方の原稿読取部の入り口近傍で、原稿紙に接触する弾性のあるフィルム片で構成された振動抑制手段を設け、この振動抑制手段によって、送給時における原稿紙の振動の発生を抑制するように
し、
　かつ前記フィルム片の上下に上側の部材と下側の部材とを設けると共に、　前記下側の部材の送給方向下流側に原稿読み取り用の透明部材を設けて、前記原稿読取位置は該透明部材上にあり、さらに前記透明部材の上面を前記下側の部材の上面よりも低くし、
　さらに前記フィルム片の前記原稿読取位置側の先端が、前記透明部材の上部でかつ原稿読取位置よりも送給方向上流側にあり、
　かつ前記フィルム片と該下側の部材との間、及び前記フィルム片と前記透明部材との間に各々隙間を設けて、前記各隙間を原稿紙が通って原稿読取位置へ送給されるようにした
と訂正する。
　
（２）訂正事項ｂ
　特許明細書の段落【０００５】の記載
「【０００５】
　【課題を解決するための手段】
　上記目的を達成するために提案される本発明は、原稿紙の送給方向を反転させて外部に排出させる原稿搬送路を備えた給紙装置において、特に、反転ローラと、この反転ローラに近接した給紙ローラとの間であり、原稿読取部の入り口近傍に、弾性のあるフィルム片で構成された振動抑制手段を設け、この振動抑制手段によって、原稿紙を押さえることによって振動の発生を抑制するようになっている。」
とあるのを、
「【０００５】
　【課題を解決するための手段】
　上記目的を達成するために提案される本発明は、原稿紙の送給方向を反転させて外部に排出させる原稿搬送路を備えた給紙装置において、特に、反転ローラと、この反転ローラに近接した給紙ローラとの間であり、
原稿読取位置より前方の
で
原稿紙に接触する
、送給時における原稿紙の
し、かつ前記フィルム片の上下に上側の部材と下側の部材とを設けると共に、前記下側の部材の送給方向下流側に原稿読み取り用の透明部材を設けて、前記原稿読取位置は該透明部材上にあり、さらに前記透明部材の上面を前記下側の部材の上面よりも低くし、さらに前記フィルム片の前記原稿読取位置側の先端が、前記透明部材の上部でかつ原稿読取位置よりも送給方向上流側にあり、かつ前記フィルム片と該下側の部材との間、及び前記フィルム片と前記透明部材との間に各々隙間を設けて、前記各隙間を原稿紙が通って原稿読取位置へ送給されるようにする。
と訂正する。
　
（３）訂正事項ｃ
　特許明細書の段落【００１０】の記載中の
「振動抑制手段Ｂは、上記の例では弾性力のあるフィルム片１３で構成されているが、この例に限定されない。原稿紙５の上面又は下面に直接接触して、送給時における原稿紙５の振動発生を防止できるものであればよい。
　以上、原稿紙５の上面に弾性力のあるフィルム片１３が原稿紙５の上面に直接接触して、送給時における原稿紙５の振動発生を防止しているものを説明してきたが、これは原稿紙５の下面に直接接触するようにしたもの、たとえば、読取部入り口近傍で、原稿紙の下面に直接接触する振動抑制手段としての弾性力のあるフィルム片を設けたものにおいても、原稿紙の振動発生を防止するという同様の効果が得られる。」
とあるのを、
「振動抑制手段Ｂ
は、弾性力の
構成され、原稿紙５の上面に
　以上、原稿紙５の上面に弾性力のあるフィルム片１３が原稿紙５の上面に直接接触して、送給時における原稿紙５の振動発生を防止しているものを説明してきた
。
と訂正する。
　
２−２．訂正の目的の適否、新規事項の有無、及び拡張・変更の存否
（１）訂正事項ａについて
　訂正事項ａは、特許請求の範囲の請求項１に記載された「給紙装置」について、「フィルム片の上下に上側の部材と下側の部材とを設けると共に、前記下側の部材の送給方向下流側に原稿読み取り用の透明部材を設けて、原稿読取位置は該透明部材上にあり、さらに前記透明部材の上面を前記下側の部材の上面よりも低くし、さらに前記フィルム片の前記原稿読取位置側の先端が、前記透明部材の上部でかつ原稿読取位置よりも送給方向上流側にあり、かつ前記フィルム片と該下側の部材との間、及び前記フィルム片と前記透明部材との間に各々隙間を設けて、前記各隙間を原稿紙が通って原稿読取位置へ送給される」との限定を付加するものであり、この訂正は、特許請求の範囲の減縮を目的とするものである。そして、本件特許の図１及び図２を参照するに、下側の部材の送給方向下流側に設けられる原稿読み取り用の部材が「透明部材」であることは出願時の技術常識からみて当業者に自明なことといえる点を考慮すれば、上記訂正事項は、図１及び図２に記載されていたものであって、新規事項の追加に該当せず、また、実質上特許請求の範囲を拡張し、又は変更するものでもない。
　
（２）訂正事項ｂ、ｃについて
　訂正事項ｂ、ｃは、特許明細書の発明の詳細な説明を訂正するものであるが、いずれの訂正も、特許請求の範囲の訂正に伴って、特許請求の範囲の記載と発明の詳細な説明の記載との整合を図るためのものであり、明りょうでない記載の釈明を目的とするものである。そして、新規事項の追加に該当せず、また、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．異議申立ての理由の概要
　異議申立人市東　勇は、証拠として甲第１号証（実願平３−６３２９１号（実開平５−１８１６５号）のＣＤ−ＲＯＭ）、甲第２号証（実願平２−１０３７８７号（実開平４−６０９４９号）のマイクロフィルム）、甲第３号証（実願平３−９８４５９号（実開平５−４０２４１号）のＣＤ−ＲＯＭ）、甲第４号証（特公昭６４−７７１６号公報）を提出し、本件請求項１に係る発明は、特許法第２９条第２項の規定に違反してなされ、さらに、証拠として甲第５号証（実願平３−４４８８１号（実開平７−４２２５８号））を提出し、本件請求項１に係る発明は、特許法第２９条の２の規定に違反してなされたものであるから、本件特許を取り消すべき旨主張している。
　
３−２．本件発明
　上記２．で示したとおり、上記訂正は認められるから、本件請求項１に係る発明は、上記訂正請求に係る訂正明細書の特許請求の範囲の請求項１に記載された次のとおりのものである。
「【請求項１】　原稿紙の送給方向を反転させて外部に排出させる原稿搬送路を備えた給紙装置において、反転ローラと、この反転ローラに近接した給紙ローラとの間であり、原稿読取位置より前方の原稿読取部の入り口近傍で、原稿紙に接触する弾性のあるフィルム片で構成された振動抑制手段を設け、この振動抑制手段によって、送給時における原稿紙の振動の発生を抑制するようにし、
　かつ前記フィルム片の上下に上側の部材と下側の部材とを設けると共に、
　前記下側の部材の送給方向下流側に原稿読み取り用の透明部材を設けて、前記原稿読取位置は該透明部材上にあり、さらに前記透明部材の上面を前記下側の部材の上面よりも低くし、
　さらに前記フィルム片の前記原稿読取位置側の先端が、前記透明部材の上部でかつ原稿読取位置よりも送給方向上流側にあり、
　かつ前記フィルム片と該下側の部材との間、及び前記フィルム片と前記透明部材との間に各々隙間を設けて、前記各隙間を原稿紙が通って原稿読取位置へ送給されるようにした送給装置。」
　
３−３．引用刊行物に記載された発明
　当審が平成１５年２月２６日及び平成１６年３月４日付で通知した取消しの理由において引用した刊行物には、それぞれ以下の事項が記載されている。
（１）刊行物１：実願平３−６３２９１号（実開平５−１８１６５号）
　　　　　　　　のＣＤ−ＲＯＭ（甲第１号証）
　原稿の移送通路がほぼＵ字状に反転湾曲された形状に形成され、原稿読取部の前後に一対の給紙ローラ５，６と原稿の移送方向を反転させる一対の排紙ローラ７，８を設けた給紙装置（段落【０００８】〜【０００９】、図１）、
　原稿の移送通路を形成する案内壁に設けられた読取窓を透明板１２で閉鎖したこと（段落【０００５】、図１）、
が記載されている。
　
（２）刊行物２：実願平２−１０３７８７号（実開平４−６０９４９号）
　　　　　　　　のマイクロフィルム（甲第２号証）
　原稿の送給方向を反転させて外部に排出させる原稿搬送路を備え、搬送ローラーと排出ローラーの間であり、原稿をコンタクトガラス５１上の原稿読取位置Ａに押圧するフィルムシート（押圧部材）６４と、原稿読取位置より前方の原稿読取部の入り口近傍で所定区間の原稿搬送路を狭くするバネ材等からなるスペーサー（狭路形成部材）６５と、スペーサー６５で形成された原稿搬送路から画像読取位置近傍までの間に一定の隙間を形成して送給される原稿を画像読取位置に案内する案内板（案内部材）６６を設け、送給時における原稿の挙動を上記フィルムシート、スペーサー、案内板により抑えるようにしたこと（１頁５行〜２頁７行、１１頁１２行〜１４頁６行、第２図）が記載されている。
　
（３）刊行物３：実願平３−９８４５９号（実開平５−４０２４１号）
　　　　　　　　のＣＤ−ＲＯＭ（甲第３号証）
　セパレートローラ１の直下からエキストローラ５に至る給紙経路の画像読取部に、画像読取部の画像読取位置Ｓを通過する原稿を内側からガイドする透明フィルム（もしくはシート）７を沿設し、給送原稿のブレを抑えるようにしたこと（段落【００１０】、図１）が記載されている。
　
（４）刊行物４：特公昭６４−７７１６号公報（甲第４号証）
　給紙ローラー対と排紙ローラー対の間であり、原稿読取位置Ｘより前方の原稿読取部の入り口近傍で、原稿をその面と直角をなす方向に僅かに変位させて原稿の振動を防止するための当て部材３１を設けること（１頁右欄２０行〜２頁左欄５行、第２図）、
　当て部材３１の原稿読取位置側の先端は原稿読取位置よりも送給方向上流側にあること（第２図）、
が記載されている。
　
（５）刊行物５：実願平３−４４８８１号（実開平７−４２２５８号）
　　　　　　　（甲第５号証）
　原稿の送給方向を反転させて外部に排出させる原稿搬送路を備え、搬送ローラと原動ローラとの間であり、原稿読取位置Ｒより前方の原稿読取部の入り口近傍で、原稿をガイド板１２ａの水平部に押圧するための弾性に富むステンレスなどの薄板によって構成される押え板１８，２８を設けた原稿自動搬送装置（段落【００１３】〜【００１６】、図１、図２）、
　原稿読取位置Ｒは原稿ガラス１１上にあり、さらに押え板１８，２８の原稿読取位置側の先端が、原稿ガラス１１の上部でかつ原稿読取位置よりも送給方向上流側にあること（図１、図２）、
　押え板１８，２８によって原稿をガイド板１２ａに押圧することに代えて、押圧する方向を変え、原稿ガラス１１に押圧するように構成すること（段落【００２０】）、
　が記載されている。
　
（６）刊行物６：特開昭６２−１１６０５９号公報
　原稿読取位置より前方の原稿読取部の入り口近傍で、原稿を浮き上がりのない状態で原稿読取部に導くため、原稿の侵入を妨害しない弱いバネ材３７ａを設けること（３頁下左欄１０〜１３行、第２図、第３図）、
　バネ材３７ａの原稿読取位置側の先端が原稿読取位置よりも送給方向上流側にあり、かつバネ材３７ａと下案内板３６との間に隙間が設けられ、その隙間を原稿紙が通って原稿読取位置へ送給されること（第２図、第３図）、
　天地を逆にしてみれば、読取ユニットの上面は上案内板３７の上面よりも低いこと（第２図、第３図）、
が記載されている。
　
（７）刊行物７：特開平４−１４４３５０号公報
　搬送用ローラ間であり、原稿読取位置より前方の原稿読取部の入り口近傍で、読取基準面となる基準面ガイド９に原稿を圧接するための弾力のあるゴム板やフィルム状のシートからなる押え板１０を設けること（２頁下右欄１〜４行、第１図、第２図）、
　押え板１０の原稿読取位置側の先端は原稿読取位置よりも送給方向上流側にあること（第１図、第２図）、
　基準面ガイド９を、読取部Ｒ側に設けた場合の例（第１図）と、読取部Ｒと反対側に設けた場合の例（第２図）、
が記載されている。
　
（８）刊行物８：特開平２−２３１８６２号公報
　送りローラと排出用ローラとの間であり、原稿読取位置より前方の原稿読取部の入り口近傍で、イメージセンサ１０に原稿を押し付けるための透明な押えシート３４を設けること（２頁上右欄５行〜同頁下左欄２行、第３図）が記載されている。
　
（９）刊行物９：特開平４−２６６２５９号公報
　給紙ローラ１０４と排紙ローラ１０７との間であり、原稿を密着型イメージセンサ１０５の読取ライン（光電変換素子）１０５ｂ上に押圧するためのポリエステルフィルムなどの可撓性シート１０６ａによって構成される押圧手段１０６を設けること（段落【００１５】、図１）が記載されている。
　　
３−４．対比・判断
　本件請求項１に係る発明と刊行物１ないし９に記載された事項とを対比すると、
　刊行物１ないし９には、本件請求項１に係る発明の構成に欠くことができない事項である、原稿読み取り用の透明部材の上面を下側の部材の上面よりも低くし、さらにフィルム片の原稿読取位置側の先端を、透明部材の上部でかつ原稿読取位置よりも送給方向上流側とするとともに「フィルム片と下側の部材との間、及び前記フィルム片と前記透明部材との間に各々隙間を設けて、前記各隙間を原稿紙が通って原稿読取位置へ送給されるようにした」点については記載も示唆もされていない。すなわち、刊行物１には、単に反転ローラによって原稿紙の送給方向を反転させて外部に排出させる原稿搬送路を備えた給紙装置が記載されているにすぎず、そもそもフィルム片を設けること自体の記載がなく、しかも原稿読み取り用の透明板１２（本件請求項１に係る発明の「透明部材」に相当）を設けることの記載はあるものの、該透明板１２の上面と案内壁としての案内板１（本件請求項１に係る発明の「下側の部材」に相当）の上面は同じ高さであり、透明板１２の上面を案内板１の上面よりも低くすることについては記載も示唆もない。また、刊行物３の透明フィルム（もしくはシート）７、及び刊行物４の当て部材３１にあっては、そもそも弾性のある部材で構成されることを前提としていないものである。さらに、刊行物２のフィルムシート（押圧部材）６４、刊行物５の押え板１８，２８、刊行物７の押え板１０、刊行物８の押えシート３４、及び刊行物９の可撓性シート１０６ａについては、いずれも原稿をガイド部材や原稿読み取り用の透明部材等に
押圧する
　そして、本件請求項１に係る発明は、上記事項によって、透明部材とフィルム片との間に紙粉やトナーインク粉などが溜まったり、原稿紙がフィルム片と透明部材との間でジャミングしたりすることを防止できるという効果が得られるものと認められる。
　なお、付言しておくと、刊行物５には、本件請求項１に係る発明の「反転ローラ」に相当するものの記載もない。
　したがって、本件請求項１に係る発明は、上記刊行物１に記載された給紙装置に対して上記各刊行物２ないし４、６ないし９に記載された事項を如何に組み合わせてみても当業者が容易に発明をすることができたものとはいえず、また、刊行物５に係る先願に記載のものと同一でもない。
　
３−５．むすび
　以上のとおりであるから、特許異議の申立ての理由及び証拠によっては、本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年９月７日（２００４．９．７）
【訂正の要旨】
審決（決定）の【理由】欄参照。
（５４）【発明の名称】
給紙装置
（５７）【特許請求の範囲】
　【請求項１】　原稿紙の送給方向を反転させて外部に排出させる原稿搬送路を備えた給紙装置において、反転ローラと、この反転ローラに近接した給紙ローラとの間であり、原稿読取位置より前方の原稿読取部の入り口近傍で、原稿紙に接触する弾性のあるフィルム片で構成された振動抑制手段を設け、この振動抑制手段によって、送給時における原稿紙の振動の発生を抑制するようにし
、
　かつ前記フィルム片の上下に上側の部材と下側の部材とを設けると共に、
　前記下側の部材の送給方向下流側に原稿読み取り用の透明部材を設けて、前記原稿読取位置は該透明部材上にあり、さらに前記透明部材の上面を前記下側の部材の上面よりも低くし、
　さらに前記フィルム片の前記原稿読取位置側の先端が、前記透明部材の上部でかつ原稿読取位置よりも送給方向上流側にあり、
　かつ前記フィルム片と該下側の部材との間、及び前記フィルム片と前記透明部材との間に各々隙間を設けて、前記各隙間を原稿紙が通って原稿読取位置へ送給されるようにした
【発明の詳細な説明】
　【０００１】
　【産業上の利用分野】
　この発明は、原稿紙を送給する時に生じる騒音の発生を抑制するようにした給紙装置に関する。
　【０００２】
　【従来の技術】
　一般に、ファクシミリ装置などにおいては、読取走査部で原稿紙上に記載された画情報などを読み取った後、その送給方向をＵターンさせて外部に排出する原稿搬送路を備えている。
　図３は、そのような原稿搬送路を示したもので、原稿トレイ（不図示）にセットされた原稿紙１００は、分離パッド１０６と、分離ローラ１０７とによって１枚ずつ分離されながら、複数の給紙ローラ１０１を設けた搬送路１０２内に送られ、ここでは、画像読取センサー１０３によって、原稿紙１００上の画情報などが読取走査された後、反転ローラ１０４によってＵターンされて排出路１０５より排出される構造となっている。
　【０００３】
　しかしながら、このようなファクシミリ装置においては、反転ローラ１０４の回転周速が、分離ローラ１０７の回転周速よりも速く設定されており、しかも原稿紙１００の送給時には、原稿紙１００が分離パッド１０６などで上方より押さえられた状態となっている。このため、このことが原因となって、原稿紙１００が反転ローラ１０４と分離ローラ１０７との間に掛け渡されたときに振動を生じ、これが騒音の原因となっている。
　【０００４】
　【発明が解決しようとする課題】
　本発明は、ファクシミリ装置などにおいて、原稿紙の送給時に生じる振動を抑制することによって、騒音発生の原因をなくし得た給紙装置を提供することにある。
　【０００５】
　【課題を解決するための手段】
　上記目的を達成するために提案される本発明は、原稿紙の送給方向を反転させて外部に排出させる原稿搬送路を備えた給紙装置において、特に、反転ローラと、この反転ローラに近接した給紙ローラとの間であり、
原稿読取位置より前方の
で
原稿紙に接触する
、送給時における原稿紙の
し、かつ前記フィルム片の上下に上側の部材と下側の部材とを設けると共に、前記下側の部材の送給方向下流側に原稿読み取り用の透明部材を設けて、前記原稿読取位置は該透明部材上にあり、さらに前記透明部材の上面を前記下側の部材の上面よりも低くし、さらに前記フィルム片の前記原稿読取位置側の先端が、前記透明部材の上部でかつ原稿読取位置よりも送給方向上流側にあり、かつ前記フィルム片と該下側の部材との間、及び前記フィルム片と前記透明部材との間に各々隙間を設けて、前記各隙間を原稿紙が通って原稿読取位置へ送給されるようにする。
　【０００６】
　ここに、振動抑制手段は、弾性のあるフィルム片が最も一般的であり、原稿紙を押さえて、振動を吸収したり、振動を抑制する作用を有する。
　【０００７】
　【作用】
　本発明の給紙装置によれば、反転ローラと、この反転ローラに最も近接した給紙ローラとの間に掛け渡された原稿紙を振動抑制手段によって押さえることにより、送給時における原稿紙の振動が抑制される。
　【０００８】
　【実施例】
　以下に、添付図とともにファクシミリ装置に適用された本発明の一実施例を説明する。
　ファクシミリ装置Ｆは、図１に示すように、複数のミラー１１・・・，レンズ２，ＣＣＤ３を設けてなる原稿読取部１０と、複数の給紙ローラ８と、後述する分離ローラ６、１組の反転ローラ９を含んで構成された原稿搬送路Ａを備えている。
　【０００９】
　原稿搬送路Ａの一方は、複数の原稿紙５を堆積収容した原稿トレイ６に連なり、この原稿トレイ６に堆積収容された原稿紙５の各々は、分離ローラ６と分離パッド７で挟まれながら１枚づつ分離され、搬送路Ａ内に順次送り込まれるようになっている。
　そして、原稿紙５は、原稿搬送路Ａ内を搬送される途中において、原稿紙５に印字された画像情報は原稿読取部１０によって読み取られ、その後は反転ローラ９，９によって、Ｕターンされた後、外部に排出されるようになっている。
　【００１０】
　また、原稿搬送路Ａ内に設けた複数の給紙ローラ８のうち、反転ローラ９に最も近接した給紙ローラ８Ａと、反転ローラ９との間には、原稿紙５を上方から押さえるフィルム片１３で形成された振動抑制手段Ｂが設けられている。
　このような構造の給紙装置によれば、原稿トレイ６に堆積収容された複数の原稿紙５は、分離ローラ６と分離パッド７によって一枚ずつ分離されながら、給紙ローラ８，８Ａによって送られて、画像読取走査がなされた後、更に反転ローラ９によって送給方向を反転して原稿搬送路Ａから外部に排出されるが、原稿搬送路Ａ内において、原稿紙５の搬送が進み、原稿紙５が給紙ローラ８Ａと反転ローラ９との間に掛け渡された状態に至ると、その上方よりフィルム片１３などから成る振動抑制押手段Ｂで押えられることによって、振動の発生が抑制され、したがってそのときに生じる騒音の発生も防止できる。図２は、図１のＣ部分の拡大図である。
　振動抑制手段Ｂ
は、弾性力の
構成され、原稿紙５の上面に
　以上、原稿紙５の上面に弾性力のあるフィルム片１３が原稿紙５の上面に直接接触して、送給時における原稿紙５の振動発生を防止しているものを説明してきた
。
　【００１１】
　【発明の効果】
　本発明によれば、給紙ローラと反転ローラとの間に掛け渡された原稿紙を、振動抑制手段で上方より押さえることによって、原稿紙の送給時における振動の発生を押えるので、そのとき生じる騒音の発生を未然に防止することができる。
　また、原稿読取部の入り口近傍にフィルム片を配置し、原稿紙を押さえることによって、給紙ローラから反転ローラへ原稿紙を送るときに原稿紙の先端がぱたついて読取画像に悪影響を及ぼすことを防止する。また、給紙ローラから送られてきた原稿紙の先端が反転ローラに当たって、給紙ローラと反転ローラとの間で、原稿紙が浮き上がってしまい、読取画像に悪影響を及ぼすことを防止する。
【図面の簡単な説明】
　【図１】
　本発明に係る給紙装置の一実施例要部縦断面図である。
　【図２】
　図１のＣ部分の拡大図である。
　【図３】
　従来の給紙装置の原稿搬送路の縦断面図である。
　【符号の説明】
　Ａ　原稿搬送路
　Ｂ　振動抑制手段
　５　原稿紙
　８，８Ａ　給紙ローラ
　９　反転ローラ
　１３　フィルム片
【図面】